(57)【要約】【課題】原子炉内のＩＣＭの通常の取外しが出来ない場合のそのＩＣＭの容易かつ確実に取外すことができる小型軽量の炉内中性子束モニタの取外し装置及び方法を提供する。【解決手段】原子炉内に懸垂支持されたフレーム１１ａと、このフレーム１１ａに固定された基準フレーム１４と、ＩＣＭを把持する爪部１６ａと、この爪部１６ａによる把持及び解除を制御する爪駆動用水圧シリンダ１８と、前記把持操作状態で上下できる昇降プレート１７と、この昇降プレート１７の昇降制御用水圧シリンダ１３と、水平移動するスライダ１５と、この水平移動を制御する位置決め用水圧シリンダ１２とを備えた炉内中性子束モニタの取外し装置。【選択図】  図１
2005010117.tif 000002
【特許請求の範囲】
【請求項１】
第１のフレームと、この第１のフレームに固定されて原子炉の上部格子板に上方向の力を伝達する第２のフレームと、この第２のフレームに水平移動自在に装着されたスライダと、このスライダを移動させる駆動手段と、このスライダに上下動自在に装着されて炉内中性子束モニタに下方向の力を伝達する昇降プレートと、この昇降プレートを上下動させる駆動手段と、そのスライダに装着されて炉内中性子束モニタを把持する把持手段と、その把持手段を動作させる駆動手段とを備えた炉内中性子束モニタの取外し装置。
【請求項２】
原子炉の炉内中性子束モニタに押し下げる方向に力を与え、その力による反作用力を原子炉の上部格子板で受けながら、前記炉内中性子束モニタを座屈させて前記上部格子板から前記炉内中性子束モニタの頂部を外す炉内中性子束モニタの取外し方法。
【発明の詳細な説明】
【０００１】
【発明の属する技術分野】
本発明は、原子力発電所の原子炉圧力容器内に装備されている炉内中性子束モニタの取外し方法及び装置に関するものである。
【０００２】
【従来の技術】
原子力発電所における沸騰水型原子炉の核計装系は、炉心部の核反応によって生じる中性子束を測定して原子炉出力を監視することを目的と、原子炉圧力容器内に中性子を測定する炉内中性子束モニタ（以下ＩＣＭという。）として、局部出力領域モニタ（以下ＬＰＲＭという。），中性子源領域モニタ（以下ＳＲＭという。），中間出力領域モニタ（以下ＩＲＭという。）を設置している。
【０００３】
原子力発電所の定期検査時には、これらのＩＣＭは原子炉圧力容器より取外されるが、この作業時は定期検査工程上、クリティカルパス作業となっており、原子力発電所の定期検査工程，運転及び健全性に多大な影響を及ぼすため、取外し作業の遅延は許されない。
【０００４】
ＩＣＭは、スプリングで原子炉の上部格子板と炉心支持板との間で突っ張って設けられているが、そのＩＣＭは通常の状態であれば、そのスプリングに抗してＩＣＭの頂部をスプリングのストローク範囲内で押し下げて上部格子板からＩＣＭを外すことになる。しかし、その押し下げが実施できない場合には、異常事態の対応を採る。
【０００５】
その対応における従来のＩＣＭの取外し方法の一例として、ウェイトを用いてＬＰＲＭに鉛直方向の荷重を加え、これを弓なりに曲げて原子炉の格子板の下に移動させて取外すものがある（例えば、特許文献１を参照）。
【０００６】
【特許文献１】
特開平５−１９６７８５号公報
【０００７】
【発明が解決しようとする課題】
このような従来のＩＣＭの取外し方法の一例の方法は、ウェイトの質量が数百ｋｇとかなり重く、準備作業として天井クレーンを必要とし、炉心上部での重量取扱い作業となるため、二次障害の可能性が高くなる問題がある。
【０００８】
本発明は、ウェイトを用いずに小型軽量の炉内中性子束モニタの取外し装置及び方法を提供するものである。
【０００９】
【課題を解決するための手段】
本発明の課題を解決する装置としての手段は、第１のフレームと、この第１のフレームに固定されて原子炉の上部格子板に上方向の力を伝達する第２のフレームと、この第２のフレームに水平移動自在に装着されたスライダと、このスライダを移動させる駆動手段と、このスライダに上下動自在に装着されて炉内中性子束モニタに下方向の力を伝達する昇降プレートと、この昇降プレートを上下動させる駆動手段と、そのスライダに装着されて炉内中性子束モニタを把持する把持手段と、その把持手段を動作させる駆動手段とを備えた炉内中性子束モニタの取外し装置であり、同じ方法としての手段は、原子炉の炉内中性子束モニタに押し下げる方向に力を与え、その力による反作用力を原子炉の上部格子板で受けながら、前記炉内中性子束モニタを座屈させて前記上部格子板から前記炉内中性子束モニタの頂部を外す炉内中性子束モニタの取外し方法である。
【００１０】
【発明の実施の形態】
原子力発電所における沸騰水型原子炉の核計装系は、炉心部の核反応によって生じる中性子束を測定することにより、原子炉停止状態から定格出力の例えば１２５％までの原子炉出力を監視することを目的としたもので、この原子炉核計装系で原子炉の起動，停止時や定常運転時の監視を行ったり、炉制御や安全保護のための信号を安全停止系や制御棒駆動系等に出力したりしている。
【００１１】
原子炉の運転開始から定常運転に至る中性子束の変動範囲は６桁から１２桁にも及び、全範囲を一種類の計測器でカバーすることは困難である。このため原子炉核計装系は、中性子源領域，中間出力領域，局部出力領域の３つに分け、各計測領域に適した中性子計測で中性子束を測定する一方、各計測領域の測定範囲を相互に１桁以上オーバーラップさせ、１つの計測領域から他の計測領域に移る際にも、中性子束の測定が不連続にならないようにしている。
【００１２】
このため前記原子炉圧力容器内の中性子を測定する炉内中性子束モニタ（以下ＩＣＭという）として、局部出力領域モニタ（以下ＬＰＲＭという），中性子源領域モニタ（以下ＳＲＭという），中間出力領域モニタ（以下ＩＲＭという）を設置している。原子力発電所の定期検査時には、これらのＩＣＭは原子炉圧力容器より取外されるが、この作業時は定期検査工程上、クリティカルパス作業となっており、原子力発電所の定期検査工程，運転及び健全性に多大な影響を及ぼすため、取外し作業の遅延は許されない。
【００１３】
図１１は本発明が適用される一般的な沸騰水型原子炉の要部断面図である。
【００１４】
１は原子炉で、周知のように密閉された圧力容器２を構成し、内部には所定量の水が注入され、燃料集合体３，制御棒４が装着されている。６はＳＲＭドライチューブ、７はＩＲＭドライチューブ、８はＬＰＲＭ検出器、９は中性子源で、これらは炉心支持板５と上部格子板１０との間に装着されている。
【００１５】
図１２は前記ＳＲＭドライチューブ６，ＩＲＭドライチューブ７，ＬＰＲＭ検出器８が装着されている状態を示す。また、これらＩＣＭの内、代表してＬＰＲＭ検出器８の構造を図１３に示す。
【００１６】
ＬＰＲＭ検出器８は、スプリングハウジング８ｂの内径にガイドプラグ８ｃの一部が圧入嵌合され、プランジャ８ｄの下部にはスプリング８ａが装填される構造となっている。したがって上部格子板１０の凹所に嵌合しているプランジャ８ｄの頭部８ｅは、凹所に当接して所定の力で上側に押し付けられ、横方向に外れないで保持されている。
【００１７】
前記ＬＰＲＭ検出器８を原子炉圧力容器から取外す際に、前記ＬＰＲＭ検出器８のプランジャ８ｄが変形し、ガイドプラグ８ｃ内での動きが阻害されている場合や、プランジャ８ｄがガイドプラグ８ｃまたはスプリングハウジング８ｂとの接触面で固着している場合、ＬＰＲＭ検出器８の取外し作業は極めて困難である。
【００１８】
ＩＣＭの原子炉圧力容器からの取外しに際して、このような困難な状況に遭遇した場合に、ＩＣＭの原子炉圧力容器からの取外しに本発明のＩＣＭ取外し装置が用いられる。本発明に係わるＩＣＭ取外し装置は、内部にスプリングを有するスプリングハウジングと、この上端に設置されたガイドプラグと、前記スプリング上部に設置され前記ガイドプラグを貫通し前記スプリングハウジングより突出するプランジャとを備え、前記プランジャの頭部を炉心内の上部格子板に差し込むことによって固定された原子炉圧力容器の中性子束測定用ＩＣＭの取外し装置において、炉心内の上部格子板上に配置されるフレームと、このフレームに固定された基準フレームと、前記ＩＣＭを把持する爪部を有したアームと、この爪部による把持及び解除を制御する爪駆動用水圧シリンダと、前記把持操作状態で上下できる昇降プレートと、この昇降プレートの昇降制御用水圧シリンダと、水平移動するスライダと、この水平移動を制御する位置決め用水圧シリンダとを備えている。このようなＩＣＭの取外し装置を用いて、本発明に係わるＩＣＭの取外し方法として、前記基準フレームの上面を前記上部格子板の下面位置に至るまで下降後水平移動させ、前記爪駆動用水圧シリンダの操作により前記爪部で前記ＩＣＭを把持し、これを保持した状態で前記昇降制御用水圧シリンダにより前記基準フレームの上面と前記上部格子板の下面との間が突っ張るように接触させた後、前記昇降プレートの下降により前記ＩＣＭの段付部を押し下げて座屈曲げを生ぜしめ、前記上部格子板に嵌合している前記ＩＣＭの頭部を外し、次いで前記位置決め用水圧シリンダの水圧印加によって前記水平移動用スライダを水平方向へ移動させ、同時に前記押し下げ用水圧シリンダの水圧解除で元の位置まで前記昇降プレートを上昇させ、この状態を保持したまま水平移動させた後上部に引き上げるという方法が実施できる。
【００１９】
このようなＩＣＭ取外し装置及び方法を原子炉圧力容器内で実施するに際しては、まずは、ホイストを用いて上下動自在に懸垂支持したＩＣＭ取外し装置を原子炉圧力容器内の炉心の上部格子板の上部に位置させ、基準フレームの上面が上部格子板の下面位置に至るまで下降させる。上部格子板の下面をガイドにしながらＩＣＭ側に水平移動させ、爪駆動用水圧シリンダを操作してアームの爪部でＩＣＭを把持する。
【００２０】
この状態で昇降制御用水圧シリンダを操作し、そのロッドを押し出すことにより基準フレームの上面と上部格子板の下面との間が突っ張るように接触し、同時に昇降プレートが下降しＩＣＭはその段付部を介して押し下げられる。そのためＩＣＭは座屈湾曲し、上部格子板の凹所に嵌合している頭部が外れる。
【００２１】
次に位置決め用水圧シリンダに水圧を印加すると、水平移動用スライダは水平方向へ移動し、同時に昇降制御用水圧シリンダの水圧を解除すると、昇降プレートは元の位置まで上昇する。このときＩＣＭは爪部で把持されたままであり、この状態を保持しながら水平移動させ、上部に引き上げる。このようにして、ウェイトを用いずに各水圧シリンダを各部の駆動手段として用いてＩＣＭを原子炉圧力容器内から取外し、原子炉の検査・点検作業を進める。
【００２２】
以下に、一層具体的に本発明の一実施例を説明する。なお、本実施例においては、ＩＣＭの内ＬＰＲＭ検出器（局部出力領域モニタ）を代表し、その取外し装置及び方法について説明する。
【００２３】
図１にＩＣＭ取外し装置１１の構成を示す。原子炉圧力容器の上方に水平移動自在にホイストが配備される。そのホイストとしては、原子力発電所の原子炉建屋に装備された燃料交換機の補助ホイストが利用できる。そのホイストにより巻き取り或いは繰り出されるロープの端部に取付けられているホイスト先端金具１９は、水平なフレーム１１ｂに接続されている。そのフレーム１１ｂには垂直なフレーム１１ａが第１のフレームとして固定されている。そのフレーム１１ｂには、基準フレーム１４が第２のフレームとして水平に固定されている。
【００２４】
その基準フレーム１４の下面には、スライドレールを介して水平移動用スライダ１５が水平方向へ移動自在に装着されている。その水平移動用スライダ１５には、駆動手段として、位置決め用水圧シリンダ１２のピストンロッド側が連結され、シリンダ側はフレーム１１ｂに接続されている。この位置決め用水圧シリンダ１２には、各高圧ホース２０の一部が接続されて、原子炉建屋の運転階から水圧を位置決め用水圧シリンダ１２に供給可能としている。位置決め用水圧シリンダ１２は水圧を受けてロッドをシリンダ内に引き入れたりロッドをシリンダの外側へ突き出し足りできる。そして、ロッドをシリンダ内に引き入れた際には、水平移動用スライダ１５を図１の左側水平方向に移動させることができ、ロッドをシリンダの外側へ突き出した際には、水平移動用スライダ１５を図１の右側水平方向に移動させて図１の状態とすることができる。
【００２５】
水平移動用スライダ１５の下面には、支持棒２２の上端が固定され、その支持棒２２の下端は水平なフレーム２１に固定されている。したがって、支持棒２２と水平なフレーム２１を水平移動用スライダ１５の構成として含んでいる。
【００２６】
水平なフレーム２１の下面には、駆動手段として爪駆動用水圧シリンダ１８のシリンダ側が接続され、図３のように、爪駆動用水圧シリンダ１８のロッド１８ａはアーム１６の一端に接続され、アーム１６の他端は垂直な回転軸２３の下端に接続され、回転軸２３の上端部分には把持手段としてフック形状の爪部１６ａが接続されている。この爪部１６ａは水平移動用スライダ１５の下面に水平回転自在に装着されている。
【００２７】
爪駆動用水圧シリンダ１８には高圧ホース２０の一部が接続されて原子炉建屋の運転階から水圧を位置決め用水圧シリンダ１２に供給可能としている。この水圧を受けた位置決め用水圧シリンダ１２はロッド１８ａをシリンダから突き出したり引き込んだりすることができるので、ロッド１８ａを突き出した際には、図３の実線表示から点線表示のようにアーム１６を水平回転させるので、回転軸２３もアーム１６と同方向に回転して爪部１６ａを図３の実線表示から点線表示のように水平回転させることができる。
【００２８】
水平移動用スライダ１５には、駆動手段として昇降制御用水圧シリンダ１３のシリンダ側が固定され、昇降制御用水圧シリンダ１３のロッド１３ａは水平な昇降プレート１７に固定されている。その昇降プレート１７には支持棒２２や回転軸２３が昇降プレート１７の上下動を邪魔しないように貫通している。
【００２９】
昇降制御用水圧シリンダ１３には、高圧ホース２０の一部が接続されて原子炉建屋の運転階から水圧を昇降制御用水圧シリンダ１３に供給可能としている。昇降制御用水圧シリンダ１３はその水圧を受けることによって、ロッド１３ａをシリンダから突き出したり引き込んだりできる。昇降制御用水圧シリンダ１３のロッド１３ａが引き込まれた際には、昇降プレート１７が上昇し、突き出された際には、昇降プレート１７が下降する。
【００３０】
この実施例によれば、ＩＣＭ取外し装置１１を約４０ｋｇと、軽量に構成することができた。
【００３１】
図２はＩＣＭ取外し装置の上側から見た図であり、フレーム１１ｂはほぼ矩形の平板であるが、その下方の２枚の水平なフレーム１１ｃ，１１ｄは図３の点線表示で示すように右側端部がほぼ９０度の角度で右側に尖った形状に成型されている。これは、図４や図５や図７に示すように上部格子板１０の格子の対角線方向からＩＣＭ取外し装置をその上部格子板１０の格子の隅に接近できるようにするためである。図３はＩＣＭ取外し装置を下側から見た図である。
【００３２】
図２や図３や図４や図５からも分かるように、基準フレーム１４と水平移動用スライダ１５や昇降プレート１７やフレーム２１は、その右側端部に右側に開放されたスリットが上下方向から見て同一位置で同一向きに形成されている。そのため、基準フレーム１４と水平移動用スライダ１５や昇降プレート１７やフレーム２１は、その右側端部が上下方向から見ると二股の形状を有している。基準フレーム１４に形成されたスリットは、水平移動用スライダ１５や昇降プレート１７やフレーム２１に形成されたスリットよりも図１の左側への長さが長くされている。また、昇降プレート１７に形成されたスリットの図１の紙面と直交する方向のスリット幅はガイドプラグ８ｃの直径寸法よりも小さい寸法でありプランジャ８ｄの直径寸法よりも大きな寸法とされる。そのため、昇降プレート１７のスリットにプランジャ８ｄを通して昇降プレート１７を下降させると、その昇降プレート１７はガイドプラグ８ｃに引っ掛り、その昇降プレート１７がＬＰＲＭ検出器８へ下方方向に引っ掛り合える。
【００３３】
次に、ＩＣＭ取外し装置１１を用いてのＩＣＭ取外し方法の説明を次に行う。本発明の実施様態は、水が入れられている原子炉圧力容器内の上部格子板１０の多数の仕切り区画において、図４のように、燃料集合体３が７体取り除かれた二点鎖線内の領域５０がＩＣＭ取外しの作業領域となる。その領域５０内のＬＰＲＭ検出器８が、プランジャ８ｄが変形し、ガイドプラグ８ｃ内での動きが阻害されているか、或いは、プランジャ８ｄがガイドプラグ８ｃまたはスプリングハウジング８ｂとの接触面で固着している場合を想定してそのＬＰＲＭ検出器８を取外すことを以下に説明する。
【００３４】
前述のように、燃料集合体３が７体取り除かれた後に、燃料交換機のホイストでＩＣＭ取外し装置１１を吊り、燃料交換機の水平移動とホイストによる上下移動をＩＣＭ取外し装置１１に与えて領域５０に吊り降ろし、領域５０の左上側から斜め下側に向って図５のＡ１〜Ａ４のようにＬＰＲＭ検出器８の位置まで移動させる。この移動に際しては、上部格子板１０の近傍を明るくするための水中照明灯３０，水中ＴＶカメラ４０を使用し、そのモニタ画面を見ながら燃料交換機とホイストを操作して行う。
【００３５】
図５はＩＣＭ取外し装置１１を使用してＬＰＲＭ検出器８を取外す作業工程の状況を示す平面図で、その断面図である図６〜図１０を参照しながら取外す作業の詳細を説明する。
【００３６】
まず、ＩＣＭ取外し装置１１を燃料集合体３が抜かれた後の上部格子板１０の格子内に吊り降ろし、次いで更にＩＣＭ取外し装置１１を下降させ、水中ＴＶカメラ４０のモニタ画面を監視しながら、図６及び図５のＡ１のように、基準フレーム１４の上面を上部格子板１０の下面の高さよりも若干低い位置に至るまで下降させる。
【００３７】
次に、上部格子板１０の下面をガイドにしながらＩＣＭ取外し装置１１をＬＰＲＭ検出器８側に水平移動させ、図７や図５のＡ２のように、基準フレーム１４と水平移動用スライダ１５や昇降プレート１７やフレーム２１に形成したスリット内にＬＰＲＭ検出器８を入れる。基準フレーム１４と水平移動用スライダ１５とのスリットにはプランジャの頭部８ｅ直下のプランジャ８ｄ部が、昇降プレート１７のスリットにはガイドプラグ８ｃの直上のプランジャ８ｄ部が、フレーム２１のスリットにはスプリングハウジング８ｂが上下方向に通されている。この時点では、爪部１６ａは解除状態に置かれていて水平移動用スライダ１５のスリット内側へは突き出ていない。
【００３８】
次に、爪駆動用水圧シリンダ１８を操作してロッド１８ａをシリンダ側に引き込むことで、爪部１６ａを図３の点線表示状態から実線表示状態に水平回転させてＬＰＲＭ検出器８のプランジャ８ｄ部分を把持する。
【００３９】
この状態で昇降制御用水圧シリンダ１３を操作し、そのロッド１３ａを下方に押し出す。ロッド１３ａが下方に突き出されると、昇降プレート１７が下方に移動し、その昇降プレート１７のスリットがガイドプラグ８ｃの上端に引っ掛る。更に、昇降プレート１７の下方への移動が進行すると、昇降制御用水圧シリンダ１３がロッド１３ａを下方に押し出す力を昇降プレート１７がガイドプラグ８ｃへ伝達する。このようになると、昇降プレート１７がガイドプラグ８ｃを下方に押す作用が始まり、その反作用力は基準フレーム１４を介して上部格子板１０の下面に受け止められる。
【００４０】
上部格子板１０はＬＰＲＭ検出器８よりも座屈強度が大きいので、それより相対的に座屈強度の弱いＬＰＲＭ検出器８のプランジャ８ｄ部やスプリングハウジング８ｂが昇降プレート１７で下方に押されて座屈して湾曲する。そのため、座屈して下端から上端に至る垂直寸法が短くなったＬＰＲＭ検出器８は、図８のように、プランジャの頭部８ｅが上部格子板１０の窪みから下方へ抜ける。上部格子板１０の窪みからプランジャの頭部８ｅが抜け出ても爪部１６ａがプランジャ８ｄ部分を把持しているのでＬＰＲＭ検出器８が倒れてＩＣＭ取外し装置１１から外れることが無い。
【００４１】
次に、図９のように、位置決め用水圧シリンダ１２に水圧を印加して、水平移動用スライダ１５は図９の左側水平方向へ移動する。次に昇降制御用水圧シリンダ１３の水圧を解除すると、昇降プレート１７は図６，図７に示す元の位置まで上昇する。このときＬＰＲＭ検出器８は、爪部１６ａで把持されたままである。
【００４２】
この状態を保持しながらＩＣＭ取外し装置１１を図５のＡ３状態からＡ４の状態へと燃料交換機の水平移動によって水平移動させ、その後にホイストを操作してＩＣＭ取外し装置１１をＬＰＲＭ検出器８と共に図１０のように上部に引き上げてＬＰＲＭ検出器８を回収する。
【００４３】
なお、以上の説明では、ＬＰＲＭ検出器の取外し作業の場合について述べたが、ＬＰＲＭ検出器に限らず、ＳＲＭやＩＲＭの取外しについても本実施例によるＩＣＭ取外し装置及び方法を適用できることはいうまでもない。
【００４４】
本実施例によれば、ホイストの操作と各シリンダへの水圧を印加及び解除制御する方式のため、ウェイトを用いてＬＰＲＭ検出器に鉛直方向の荷重を加え、これを弓なりに曲げて取外す方式に比べ、ＩＣＭ取外し装置が小型軽量化された構造となり、且つ容易かつ確実にＬＰＲＭ検出器を取外すことができる。
【００４５】
したがって原子力発電所の定期検査時において、ＬＰＲＭ検出器のプランジャが変形してガイドプラグ内での動きが阻害されていたり、プランジャがガイドプラグまたはスプリングハウジングとの接触面で固着したりしていても、容易かつ確実に取外すことができる。
【００４６】
【発明の効果】
本発明によれば、ＬＰＲＭ検出器のプランジャが変形してガイドプラグ内での動きが阻害されていたり、プランジャがガイドプラグまたはスプリングハウジングとの接触面で固着したりしていても、容易かつ確実にＬＰＲＭ検出器をその取付け位置から取外すことができる。
【図面の簡単な説明】
【図１】本発明の実施例によるＩＣＭ取外し装置の構成を示す縦断面図である。
【図２】図１のＩＣＭ取外し装置の上面図である。
【図３】図１のＩＣＭ取外し装置の下面図である。
【図４】本発明の実施例によるＬＰＲＭ検出器の取外し方法を実施している状況を上部格子板の上方から見た上平面図である。
【図５】本発明の実施例によるＬＰＲＭ検出器の取外し方法による各作業工程の状態Ａ１〜Ａ４を上部格子板の上方から見た上平面図である。
【図６】本発明の実施例によるＩＣＭ取外し装置の基準フレームの上面を上部格子板の下面の高さ位置に至るまで下降させた状態を示すＩＣＭ取外し装置の縦断面図である。
【図７】本発明の実施例によるＩＣＭ取外し装置の爪部でＬＰＲＭ検出器を把持した状態を示すＩＣＭ取外し装置の縦断面図である。
【図８】本発明の実施例によるＩＣＭ取外し装置によってＬＰＲＭ検出器が座屈湾曲し、上部格子板凹所に嵌合していたＬＰＲＭ検出器の頭部が外れた状態のＩＣＭ取外し装置の縦断面図。
【図９】本発明の実施例によるＩＣＭ取外し装置のスライダが水平方向へ移動し、同時に昇降プレートが元の位置まで上昇し、ＬＰＲＭ検出器が爪部で把持された状態を示すＩＣＭ取外し装置の縦断面図である。
【図１０】本発明の実施例によるＩＣＭ取外し装置を水平移動させた後、ＩＣＭ取外し装置を上部に引き上げる状態を示すＩＣＭ取外し装置の縦断面図である。
【図１１】本発明が適用される一般的な沸騰水型原子炉の概略断面図である。
【図１２】沸騰水型原子炉内でＳＲＭドライチューブ，ＩＲＭドライチューブ，ＬＰＲＭ検出器が装着されている状態を示す説明図である。
【図１３】ＬＰＲＭ検出器の上側一部の縦断面図である。
【符号の説明】
１…原子炉、２…圧力容器、８…ＬＰＲＭ検出器、８ａ…スプリング、８ｂ…スプリングハウジング、８ｃ…ガイドプラグ、８ｄ…プランジャ、８ｅ…プランジャの頭部、１０…上部格子板、１１ａ…フレーム、１２…位置決め用水圧シリンダ、１３…昇降制御用水圧シリンダ、１４…基準フレーム、１５…水平移動用スライダ、１６…アーム、１６ａ…爪部、１７…昇降プレート、１８…爪駆動用水圧シリンダ。
【図１】
2005010117.tif 000003
【図２】
2005010117.tif 000004
【図３】
2005010117.tif 000005
【図４】
2005010117.tif 000006
【図５】
2005010117.tif 000007
【図６】
2005010117.tif 000008
【図７】
2005010117.tif 000009
【図８】
2005010117.tif 000010
【図９】
2005010117.tif 000011
【図１０】
2005010117.tif 000012
【図１１】
2005010117.tif 000013
【図１２】
2005010117.tif 000014
【図１３】
2005010117.tif 000015